(57)【特許請求の範囲】
【請求項１】
利用者の個人情報端末からの呼び登録情報に応じて、エレベータ群の中から割当かごを選択し、選択した上記割当かごの情報を上記個人情報端末に送り、且つ、上記個人情報端末からの呼びに対して選択した上記割当かごの変更は、不可状態に設定する、エレベータ制御装置
を備え、
上記エレベータ制御装置は、上記個人情報端末から割当かご要求の情報を受けると、上記割当かごの変更の不可状態を解除し、上記エレベータ群の中からの上記割当かごの再選択を行い、
上記割当かごの変更の不可状態を解除するような上記個人情報端末からの割当かご要求の情報は、上記割当かごが呼び登録情報に応じた階に到着するまでの間、受けることができる、
ことを特徴とするエレベータシステム。
【請求項２】
上記エレベータ制御装置は、上記個人情報端末から割当かご要求の情報を受ける度に、上記割当かごの再選択を行うことを特徴とする請求項１記載のエレベータシステム。
【発明の詳細な説明】
【技術分野】
【０００１】
この発明は、携帯電話等の個人情報端末からのサービス要求の情報に対応させてかごを運転させるエレベータシステムに関するものである。
【背景技術】
【０００２】
従来のエレベータシステムでは、携帯電話等の個人情報端末からの乗車階及び降車階のデータに応じて、かごの運転が制御されるとともに、音声ガイダンス等が利用者へ出力される（例えば、特許文献１参照）。
【０００３】
【特許文献１】特開２００４−１７５５１９号公報
【発明の開示】
【発明が解決しようとする課題】
【０００４】
上記のような従来のエレベータシステムを群管理制御のエレベータシステムに適用させた場合、個人情報端末からの呼び登録の情報に応じてかごが割り当てられて、割当かごの情報が個人情報端末に送られることにより利用者に割当かごを知らせる。しかしながら、その割当かごが呼び登録の情報に応じた階に到着するまでの間に、エレベータ群の運行に応じて割当かごが変更されることがあるので、正確な割り当てかごを利用者に知らせることができないことがあり、利便性が低下することがあった。
【０００５】
この発明は、上記のような課題を解決するためになされたものであり、正確な割当かごを利用者に知らせることができ、利便性を向上させることができるエレベータシステムを得ることを目的とする。
【課題を解決するための手段】
【０００６】
この発明に係るエレベータシステムは、利用者の個人情報端末からの呼び登録情報に応じて、エレベータ群の中から割当かごを選択し、選択した割当かごの情報を個人情報端末に送るとともに、選択した割当かごの変更を不可状態に設定するエレベータ制御装置を備えている。
【発明の効果】
【０００７】
この発明のエレベータシステムは、個人情報端末からの呼び登録の情報に応じて、選択した上記割当かごの変更を不可状態に設定するので、割当かごが変更されないことにより、正確な割当かごを利用者に知らせることができ、利便性を向上させることができる。
【発明を実施するための最良の形態】
【０００８】
以下、この発明を実施するための最良の形態について、図面を参照して説明する。
実施の形態１．
図１は、この発明の実施の形態１によるエレベータシステムを示すブロック図である。
図において、エレベータ群を構成する複数のエレベータ（図示せず）は、各台制御装置によりかごの運転を制御されている。全ての各台制御装置には、エレベータ制御装置１が接続されている。エレベータ制御装置１は、エレベータ群の運行を制御する群管理部２と、外部機器との通信を制御するエレベータ側送受信（ｗｅｂサーバ）部３とを有している。群管理部２は、エレベータの個人サービスを行うために最適な割当かごをエレベータ群の中から選択するかご割当部４を有している。
【０００９】
エレベータ制御装置１は、ネットワーク５（例えばＬＡＮ又はインターネット等）に接続されている。ネットワーク５には、利用者が所持する複数の個人情報端末６が接続可能となっている。即ち、個人情報端末６とエレベータ制御装置１とは、ネットワーク５を介して、互いに通信可能に接続されている。また、個人情報端末６は、例えば携帯電話、ＰＨＳ、ＰＤＡ及びＰＣ等の情報通信可能な機器である。
【００１０】
さらに、個人情報端末６は、外部機器との通信を制御する端末側送受信（汎用のｗｅｂブラウザ）部７と、エレベータ制御装置１に呼び登録情報を送る呼び登録要求部８と、例えば音声及び文字情報等のガイダンスを出力する割当かご報知部９とを有している。割当かご報知部９は、エレベータ制御装置１からの割当かごの情報に応じて、割当かご（号機番号、及び乗車位置）をガイダンスにより利用者に報知する。
【００１１】
かご割当部４は、エレベータ側送受信部３を介して個人情報端末６から呼び登録情報を受けると、例えば戸開延長及び目的階自動登録等の個人サービスを行うために最適な割当かごをエレベータ群の中から選択（決定）する。また、かご割当部４は、選択した割当かごの情報を含めた割当結果の情報を、エレベータ側送受信部３を介して個人情報端末６へ送る。これとともに、かご割当部４は、割当かごを選択すると、選択した割当かごの変更を不可状態に設定して、割当かごに個人サービス運転を実行させる。これにより、割当かごが呼び登録情報に応じた階に到着するまで、割当かごが変更されない。
【００１２】
ここで、エレベータ制御装置１は、演算処理部（ＣＰＵ）、記憶部（ＲＯＭ、ＲＡＭ及びハードディスク等）及び信号入出力部を持ったコンピュータ（図示せず）により構成することができる。エレベータ制御装置１のコンピュータの記憶部には、群管理部２、エレベータ側送受信部３及びかご割当部４の機能を実現するためのプログラムが格納されている。また、個人情報端末６は、演算処理部、記憶部及び信号入出力部を有している。さらに、個人情報端末６の記憶部には、端末側送受信部７、呼び登録要求部８及び割当かご報知部９の機能を実現するためのプログラムが格納されている。
【００１３】
次に、動作について説明する。図２は、図１のエレベータ制御装置１と個人情報端末６との間のエレベータ呼び登録時の通信動作を示す説明図である。図において、まず、個人情報端末６は、呼び登録の要求の操作を利用者から受けると（Ｆ１）、エレベータ制御装置１へ呼び登録情報を送信する（Ｆ２）。一方、エレベータ制御装置１は、個人情報端末６から呼び登録情報を受信すると（Ｆ３）、割当かごをエレベータ群の中から選択し（Ｆ４）、選択した割当かごの情報を含めた割当結果の情報を個人情報端末６へ送信する（Ｆ５）。
【００１４】
そして、個人情報端末６は、エレベータ制御装置１から割当結果の情報を受信すると（Ｆ６）、利用者に割当かごを報知する（Ｆ７）。また、エレベータ制御装置１は、割当結果の情報を個人情報端末６へ送信した段階で、割当かごの変更を不可状態に設定し（Ｆ８）、エレベータ群の運行状況に応じた割当かごの変更を行なわず、選択した割当かごに対応する各台制御装置に、個人サービス運転を実行させる。
【００１５】
上記のようなエレベータシステムでは、エレベータ群の中から割当かごを選択すると、割当かごの変更を不可状態に設定するので、割当かごが変更されないことにより、正確（確実）な割当かごの報知が可能となり、利便性を向上させることができる。そして、利用者は、個人情報端末に報知された乗場位置で待機することによって、割当かごに乗車することができる。
【００１６】
また、エレベータ制御装置の汎用のｗｅｂサーバと、個人情報端末の汎用のｗｅｂブラウザとによって、システムを実現可能なので、容易にシステムを構築することができる。
【００１７】
さらに、エレベータ制御装置と個人情報端末との間の通信が１回（１往復）で済むため、送受信のデータ量を削減することができ、個人情報端末が携帯電話等の従量課金制の機器である場合、利用料金を軽減させることができる。
【００１８】
実施の形態２．
次に、この発明の実施の形態２について説明する。図３は、実施の形態２による個人情報端末６を示すブロック図である。図において、実施の形態２の個人情報端末６は、割当かご要求部１０をさらに有している。割当かご要求部１０は、利用者による割当かご要求の操作に応じて、エレベータ制御装置１へ割当かご要求の情報を１回送る。ここで、割当かご要求の操作とは、利用者がエレベータ呼び登録の操作を行ってから割当かごが呼び登録情報に応じた階に到着するまでの間に、利用者が割当かごの変更を要求するとともに、利用者が割当かごの割当状態を確認するための操作である。
【００１９】
かご割当部４は、（割当かごが決定されている状態で）個人情報端末６から割当かご要求の情報を受信すると、割当かごの変更の不可状態を解除し、エレベータ群の中から個人サービスに最適な割当かごの再選択を行う。そして、かご割当部４は、選択した割当かごの変更を不可状態に再び設定する。他の構成は実施の形態１と同様である。
【００２０】
次に動作について説明する。実施の形態２のエレベータシステムでは、実施の形態１のエレベータ制御装置１が割当かごの変更を不可状態に設定した後の動作（図２に示すＦ８以降）が異なっており、ここでは実施の形態１との違いについてのみ説明する。
【００２１】
図２は、実施の形態２によるエレベータ制御装置１と個人情報端末６との間のエレベータ呼び登録時及び割当かご要求時の通信動作を示す説明図である。図において、個人情報端末６は、利用者による割当かご要求の操作を受けると（Ｆ１１）、割当かご要求の情報をエレベータ制御装置１へ送信する（Ｆ１２）。一方、エレベータ制御装置１は、個人情報端末６から割当かご要求の情報を受信すると（Ｆ１３）、割当かごの変更の不可状態を解除し（Ｆ１４）、エレベータ群の中から割当かごの再選択を行い（Ｆ１５）、割当かごの情報を含めた割当結果の情報を個人情報端末６へ送信する（Ｆ１６）。
【００２２】
そして、個人情報端末６は、エレベータ制御装置１から割当結果の情報を受信すると（Ｆ１７）、利用者に割当かごを報知する（Ｆ１８）。また、エレベータ制御装置１は、割当結果の情報を個人情報端末６へ送信した段階で、割当かごの変更を不可状態に設定し（Ｆ１９）、エレベータ群の運行状況に応じた割当かごの変更を行なわず、選択した割当かごに対応する各台制御装置に、個人サービス運転を実行させる。
【００２３】
上記のようなエレベータシステムでは、割当かごが呼び登録情報に応じた階に到着するまでに、利用者による任意のタイミングで割当かごの変更を行うことができるので、利用者にとって最適な割当かごを選択することができ、利便性をさらに向上させることができる。
【００２４】
また、エレベータ制御装置と個人情報端末との間の通信が２回（２往復）で済むため、送受信のデータ量を削減することができ、個人情報端末が携帯電話等の従量課金制の機器である場合、利用料金を軽減させることができる。
【００２５】
実施の形態３．
次に、この発明の実施の形態３について説明する。実施の形態２の個人情報端末６では、割当かご要求の情報を１回だけ送信可能となっていたが、実施の形態３の個人情報端末６では、利用者による割当かご要求の操作を受ける度に、割当かご要求の情報をエレベータ制御装置１へ送信する。一方、エレベータ制御装置１は、個人情報端末６から割当かご要求の情報を受信する度に、割当かごの変更の不可状態を解除し、割当かご要求の情報を受信した時点での個人サービスに最適な割当かごの再選択を行い、選択した割当かごの情報を個人情報端末６へ送信する。他の構成及び動作は実施の形態２と同一である。
【００２６】
上記のようなエレベータシステムでは、割当かごが呼び登録情報に応じた階に到着するまでに、利用者による任意のタイミングで割当かごの変更を何度も行うことができるので、利用者にとって最適な割当かごを随時選択することができ、利便性をさらに向上させることができる。
【図面の簡単な説明】
【００２７】
【図１】この発明の実施の形態１によるエレベータシステムを示す説明図である。
【図２】図１のエレベータ制御装置と個人情報端末との間のエレベータ呼び登録時の通信動作を示す説明図である。
【図３】実施の形態２による個人情報端末を示すブロック図である。
【図４】実施の形態２によるエレベータ制御装置と個人情報端末との間のエレベータ呼び登録時及び割当かご要求時の通信動作を示す説明図である。
【符号の説明】
【００２８】
１  エレベータ制御装置、６  個人情報端末。
【図１】
0005457618.tif 000002
【図２】
0005457618.tif 000003
【図３】
0005457618.tif 000004
【図４】
0005457618.tif 000005